(57)【要約】【課題】  ＮＤフィルタを備えた小型のレンズ鏡筒及びレンズユニットを提供する。  【解決手段】  レンズユニット１０は、シャッタユニット５５の開放絞り径Ｄ１と、撮影レンズの結像位置Ｐ１における最大結像径Ｄ２とが、０．６＜Ｄ２／Ｄ１＜１．１の条件を満たしている。また、フィルタユニット５６は、絞り位置Ｐ２と結像位置Ｐ１との間で、撮影光７９の光束径Ｄ１が最も小さくなる光束径最小位置Ｐ３の近傍に配置されている。このため、ＮＤフィルタ７７は、撮影光７９の光路において光束径Ｄ１が小さい位置に挿入されるので、ＮＤフィルタ７７の外径を小さくできるとともに、ＮＤフィルタ７７の退避スペースも小さくすることが可能である。このため、フィルタユニット５６を小型化して、レンズユニット１０の外径を小さくできる。【選択図】        図９
2006267863.tif 000002
【特許請求の範囲】
【請求項１】
撮影レンズと、開口径を変化させて撮影光の光量を調節する絞りと、前記撮影光の光路に挿脱自在に挿入され、前記撮影光を減光するＮＤフィルタとを備え、前記絞りの開放絞り径Ｄ１と、前記撮影レンズの結像位置における最大結像径Ｄ２とが、０．６＜Ｄ２／Ｄ１＜１．１の条件を満たすレンズ鏡筒において、
前記ＮＤフィルタは、前記絞りと前記結像位置との間で前記撮影光の光束径が最も小さくなる光束径最小位置の近傍に挿入されることを特徴とするレンズ鏡筒。
【請求項２】
前記ＮＤフィルタを保持し、前記光路に挿入される挿入位置と前記光路から退避する退避位置との間で前記ＮＤフィルタを移動させるフィルタユニットが、前記光束径最小位置の近傍に設けられていることを特徴とする請求項１記載のレンズ鏡筒。
【請求項３】
請求項１または請求項２記載のレンズ鏡筒と、このレンズ鏡筒内に配置され、前記撮影レンズによって結像された被写体像を撮像する撮像素子とを備え、カメラ本体に着脱自在に装着されることを特徴とするレンズユニット。
【発明の詳細な説明】
【技術分野】
【０００１】
本発明は、絞り及びＮＤフィルタによって撮影光の光量を制限するレンズ鏡筒及びレンズユニットに関する。
【背景技術】
【０００２】
近年、デジタルカメラ等の電子カメラが一般に普及している。このような電子カメラでは、光電変換によって被写体像を撮像する撮像素子（例えば、ＣＣＤ）や、この撮像素子に入射する光量を調節する絞り等を備えている。
【０００３】
しかし、このような電子カメラでは、絞りの開口径が一定値よりも小さくなると、光の回折現象によって、撮像素子によって撮像される画像の画質が劣化するという問題があった。このような問題を解決するために、撮影光の光路に挿脱自在に挿入されるＮＤ（Neutral Density）フィルタを備えたレンズ鏡筒が知られている。このレンズ鏡筒では、ＮＤフィルタを光路に挿入して、撮像素子に入射する光量を制限できる。このため、絞りの開口径を小絞りにせずに光量を制限することが可能であり、前述のような画質の劣化を防止することができる。
【０００４】
また、このようなＮＤフィルタ、シャッタ、及び絞りを纏めて１箇所に配置した場合、これらの作動スペースが重ならないように配置する必要があり、レンズ鏡筒が大型化するという問題があった。このような問題を解決するために、シャッタ及び絞りから離れた位置にＮＤフィルタを配置したレンズ鏡筒が知られている（例えば、特許文献１参照）。
【特許文献１】特開２００４−１５１５０３号公報
【発明の開示】
【発明が解決しようとする課題】
【０００５】
しかしながら、上記特許文献１に記載のレンズ鏡筒は、光路に挿入される挿入位置と光路から退避する退避位置との間で、ＮＤフィルタを移動させる必要があるため、ＮＤフィルタの退避スペースを確保するために、レンズ鏡筒の外径が大きくなるという問題があった。
【０００６】
本発明は上記事情に鑑みてなされたものであり、ＮＤフィルタを備えた小型のレンズ鏡筒及びレンズユニットを提供することを目的とする。
【課題を解決するための手段】
【０００７】
上記課題を解決するために、本発明のレンズ鏡筒は、撮影レンズと、開口径を変化させて撮影光の光量を調節する絞りと、前記撮影光の光路に挿脱自在に挿入され、前記撮影光を減光するＮＤフィルタとを備え、前記絞りの開放絞り径Ｄ１と、前記撮影レンズの結像位置における最大結像径Ｄ２とが、０．６＜Ｄ２／Ｄ１＜１．１の条件を満たすレンズ鏡筒であり、前記ＮＤフィルタは、前記絞りと前記結像位置との間で前記撮影光の光束径が最も小さくなる光束径最小位置の近傍に挿入されることを特徴とするものである。
【０００８】
また、前記ＮＤフィルタを保持し、前記光路に挿入される挿入位置と前記光路から退避する退避位置との間で前記ＮＤフィルタを移動させるフィルタユニットが、前記光束径最小位置の近傍に設けられていることが好ましい。
【０００９】
本発明のレンズユニットは、前述のレンズ鏡筒と、このレンズ鏡筒内に配置され、前記撮影レンズによって結像された被写体像を撮像する撮像素子とを備え、カメラ本体に着脱自在に装着されることを特徴とするものである。
【発明の効果】
【００１０】
本発明のレンズ鏡筒によれば、撮影光の光路に挿脱自在に挿入されるＮＤフィルタが、絞りと結像位置との間で撮影光の光束が最も小さくなる位置の近傍に挿入されるため、ＮＤフィルタの外径を小さくすることができる。また、ＮＤフィルタを撮影光の光路から退避させる退避スペースも小さくすることができる。このため、レンズ鏡筒の外径を小さくして、小型化することが可能である。
【００１１】
また、フィルタユニットは、撮影光の光束が最も小さくなる位置の近傍に配置されており、前述のＮＤフィルタを保持し、撮影光の光路に挿入される位置と、光路から退避する退避位置との間でＮＤフィルタを移動させる。このため、ＮＤフィルタの外径を小さくして、フィルタユニットを小型化することが可能であり、レンズ鏡筒の外径を小さくできる。
【発明を実施するための最良の形態】
【００１２】
図１に示すレンズユニット１０は、カメラ本体１１に着脱自在に装着される交換式のレンズ鏡筒であり、後述するように、撮像素子であるＣＣＤが収納されている。このレンズユニット１０の前面には、対物レンズ２０と、オートフォーカスセンサ（以下、ＡＦセンサと称する）２１とが露呈されており、背面には、マウント部２２が設けられている。
【００１３】
また、レンズユニット１０は、フォーカスリング２３、ズームリング２４、及び絞りリング２５を備えている。また、これらのリング２３〜２５の外周面には、ロック解除ボタン２６が各々に設けられており、ロック解除ボタン２６を押圧操作することにより、これらが回転操作可能となる。
【００１４】
カメラ本体１１の前面には、マウント部３０と、リリースボタン３１と、ストロボ光を被写体に向けて発光するストロボ発光部３２とが設けられている。また、上面には、電源ボタン３３、シャッタボタン３４、及び操作ダイヤル３５で構成される操作部３６が設けられている。電源ボタン３３は、カメラ本体１１の電源をＯＮまたはＯＦＦにする際に、押圧操作される。シャッタボタン３４は、撮影を行う際に押圧操作される。また、操作ダイヤル３５は、撮影モードと、再生モードとを切り替える際に操作される。また、図示せぬ背面には、画像や設定画面等を表示するＬＣＤが設けられている。
【００１５】
レンズユニット１０をカメラ本体１１に装着する際は、マウント部２２をマウント部３０に形成された凹部３０ａに挿入することによって、レンズユニット１０をカメラ本体１１に装着する。このように、レンズユニット１０がカメラ本体１１に装着されると、レンズユニット１０とカメラ本体１１とが電気的に接続される。リリースボタン３１は、カメラ本体１１からレンズユニット１０を取り外す時に押圧操作される。
【００１６】
このレンズユニット１０は、ズームリング２４が絞りリング２５に隣接して、ユニット全長が短縮される短縮位置と、ズームリング２４を前方に移動させて、ユニット全長が伸長された伸長位置との間でユニット全長が伸縮可能にされている。レンズユニット１０を使用しない場合、ズームリング２４を短縮位置に移動させ、レンズユニット１０を使用する場合、ズームリング２４を伸長位置に移動させて使用する。このズームリング２４は、伸長位置に移動された時に回転操作可能となる。
【００１７】
以下に、このレンズユニット１０の構成について、図２〜図４を用いて説明する。レンズユニット１０は、固定筒４０、移動筒４１、カム筒４２、及びカバー筒４３を備えて構成されている。
【００１８】
固定筒４０の背面には、前述のマウント部２２が設けられており、固定筒４０は、カメラ本体１１に固定される。また、固定筒４０の前端部には、３本のガイド軸４０ａが設けられている。ガイド軸４０ａは、外周面及び内周面から先端が突出されており、３本のガイド軸４０ａが、光軸Ｌを中心とする周方向の３分割位置に配置されている。また、後端側の外周面には、絞りリング２５が回転自在に設けられている。
【００１９】
移動筒４１は、固定筒４０よりも内側に配置されている。この移動筒４１には、光軸Ｌと略平行に形成され、前述のガイド軸４０ａと係合する３本のガイド溝４１ａが設けられている。このため、移動筒４１は、固定筒４０内に収納される位置（図２に示す位置）と、固定筒４０から前方に引き出された位置（図３に示す位置）との間で直進方向（光軸Ｌ方向）に移動自在であり、光軸Ｌを中心とする周方向への回転が規制されている。
【００２０】
また、カム筒４２は、固定筒４０よりも外側に配置され、移動筒４１によって回転自在に保持されている。また、カバー筒４３は、カム筒４２よりも外側に配置され、カム筒４２を覆うように設けられている。このカバー筒４３は、移動筒４１に固定されており、カバー筒４３の前端は、移動筒４１の前端よりも前方に突出している。また、ガバー筒４３の外側には、フォーカスリング２３と、ズームリング２４とが配置されており、カバー筒４３によって、これらのリング２３，２４が回転自在に保持されている。
【００２１】
このように、カム筒４２及びカバー筒４３は、移動筒４１によって保持されており、フォーカスリング２３及びズームリング２４は、カバー筒４３によって保持されている。このため、ズームリング２４を短縮位置（図２に示す位置）から伸長位置（図３に示す位置）に移動させた時に、固定筒４０に対して、これらが一体となって移動する。
【００２２】
また、レンズユニット１０内には、撮影レンズと、この撮影レンズによって結像された被写体像を撮像するＣＣＤ５１とが設けられている。撮影レンズは、第１群レンズである対物レンズ２０と、第２群レンズ５２と、第３群レンズ５３と、第４群レンズ５４とで構成されている。
【００２３】
移動筒４１は、対物レンズ２０と、第２群レンズ５２とを保持している。また、固定筒４０は、絞り機能を有するシャッタユニット５５と、第３群レンズ５３と、フィルタユニット５６と、第４群レンズ５４と、ＣＣＤ５１とを保持している。
【００２４】
対物レンズ２０は、レンズ保持枠５８によって保持されており、このレンズ保持枠５８が移動筒４１の前面に固定されている。第２群レンズ５２は、ズームレンズであり、移動筒４１内に配置されている。
【００２５】
第２群レンズ５２は、レンズ保持枠６８によって保持されている。このレンズ保持枠６８には、３本のカムフォロワー６８ａが設けられている。また、移動筒４１には、光軸Ｌと略平行な３本の直進ガイド溝４１ｂが形成されている。これらの直進ガイド溝４１ｂは、カムフォロワー６８ａに対応する位置に形成されており、カムフォロワー６８ａが挿通されて、カムフォロワー６８ａの先端が突出される。レンズ保持枠６８は、これらの直進ガイド溝４１ｂによって回転止めされる。
【００２６】
また、カム筒４２には、カムフォロワー６８ａと係合するカム開口４２ａと、連結ピン４２ｂと、ガイド軸４０ａと係合する係合溝４２ｃとが設けられている。カム開口４２ａは、直進ガイド溝４１ｂから突出するカムフォロワー６８ａの先端部と係合する。このため、カム筒４１が回転されると、カム開口４２ａの光軸方向への変位に応じて、第２群レンズ５２が、ワイド端（図３に示す位置）とテレ端（図４に示す位置）との間で光軸Ｌに沿って移動する。
【００２７】
連結ピン４２ｂは、カバー筒４３に形成された開口４３ａに挿通され、連結ピン４２ｂの先端部は、ズームリング２４の内周面に形成された係合穴２４ａと係合される。開口４３ａは、周方向に沿って形成されており、ズームリング２４が回転操作されると、カム筒４２がズームリング２４と共に回転する。
【００２８】
係合溝４２ｃは、短縮位置から伸長位置へのカム筒４２の直進移動をガイドするとともに、伸長位置では、カム筒４２の回転をガイドする。
【００２９】
シャッタユニット５５は、固定筒４０内の前端部に固定されている。また、このシャッタユニット５５の背後には、第３群レンズ５３、フィルタユニット５６が順に配置され、固定筒４０内で固定されている。第３群レンズ５３は、レンズ保持枠６９によって保持されており、このレンズ保持枠６９は、固定筒４０に固定されている。また、シャッタユニット５５及びフィルタユニット５６は、このレンズ保持枠６９によって保持されている。
【００３０】
また、第４群レンズ５４は、フォーカスレンズであり、フィルタユニット５６の背後に配置されている。この第４群レンズ５４は、レンズ保持枠６０によって保持されている。レンズ保持枠６０は、フォーカスモータ６１の駆動軸６１ａと螺合しており、さらに、ガイド軸６２によって回転止めされている。このため、フォーカスモータ６１が回転駆動されると、第４群レンズ５４が光軸Ｌに沿って進退移動する。また、第４レンズ群５４の後方には、ＣＣＤ５１が配置されており、撮影レンズによって結像された被写体像を撮像する。
【００３１】
ＡＦセンサ２１は、ＦＰＣ６６に実装された状態で、移動筒４１の前面に設けられており、対物レンズ２０よりも外側に配置されている。このＦＰＣ６６は、対物レンズ２０の外周に沿って配置されている。また、ＡＦセンサ２１は、アクティブ方式のＡＦセンサでも良いし、パッシブ方式のＡＦセンサでも良い。
【００３２】
カバー筒４３の前面には、化粧板６７が設けられている。この化粧板６７には、対物レンズ２０を露呈させる開口６７ａと、ＡＦセンサ２１を露呈させる開口６７ｂとが形成されており、対物レンズ２０及びＡＦセンサ２１が外部に露呈される。
【００３３】
また、前述のフォーカスリング２３及び絞りリング２５は、焦点調節、及び絞りの開口径の調節を手動で行う場合に、撮影者によって回転操作される。これらの回転位置は、ポジションセンサ（図示せず）によって検出され、これらのポジションセンサによって検出された回転位置に基づいて、第４群レンズ５４の位置、及びシャッタユニット５５の絞りの開口径が変更される。
【００３４】
次に、シャッタユニット５５及びフィルタユニット５６の構成を説明する。シャッタユニット５５は、図５及び図６に示すように、ユニット本体７０の中央に開口７１が形成されている。また、開口７１を挟んで両側には、アクチュエータ７２，７３が設けられている。アクチュエータ７２は、図示せぬ複数の絞り羽根を駆動して、開口７１の開口径を変化させる。これにより、ＣＣＤ５１の受光面に入射する撮影光の光量を調節する。また、アクチュエータ７３は、図示せぬシャッタ羽根を駆動する。
【００３５】
また、フィルタユニット５６は、図７及び図８に示すように、ユニット本体７５の中央には、撮影光が入射する開口７６が形成されている。この開口７６には、撮影光を減光するＮＤフィルタ７７が配置される。また、開口７６よりも外周側には、ＮＤフィルタ７７を開口７６から退避させる退避スペース７８が形成されている。
【００３６】
フィルタユニット５６は、開口７６を覆う位置、すなわち、撮影光の光路に挿入される挿入位置（図８（Ａ）に示す位置）と、開口７６から退避する退避位置（図８（Ｂ）に示す位置）との間でＮＤフィルタ７７を移動させる。
【００３７】
次に、このフィルタユニット５６の配置位置について、図９を用いて説明する。レンズユニット１０は、シャッタユニット５５の開放絞り径Ｄ１と、ＣＣＤ５１の受光面、すなわち撮影レンズの結像位置Ｐ１における最大結像径Ｄ２とが、０．６＜Ｄ２／Ｄ１＜１．１の条件を満たしている。本実施形態のレンズユニット１０では、Ｄ２／Ｄ１＝０．８３にされており、後述するように、フィルタユニット５６が光束径最小位置Ｐ３の近傍に配置されている。なお、Ｄ２／Ｄ１が１．１以上の場合、光束径最小位置Ｐ３が絞り位置Ｐ２に近づきすぎるため、シャッタユニット５５とフィルタユニット５６とが干渉するという問題がある。また、０．６以下の場合、光束径最小位置Ｐ３が結像位置Ｐ１に近づきすぎるため、ＮＤフィルタ７７に付着したゴミが結像面上に像となって写り込んでしまうという問題がある。
【００３８】
フィルタユニット５６は、絞り位置（開口７１の位置）Ｐ２と結像位置Ｐ１との間で、撮影光７９の光束径Ｄ３が最も小さくなる光束径最小位置Ｐ３の近傍に配置されている。このため、ＮＤフィルタ７７は、撮影光７９の光路において光束径Ｄ３が小さい位置に挿入されるので、ＮＤフィルタ７７の外径を小さくすることが可能である。
【００３９】
また、ＮＤフィルタ７７の外径を小さくすることにより、ＮＤフィルタ７７の退避スペース７８を小さくすることが可能である。このため、フィルタユニット５６を小型化することにより、レンズユニット１０の外径を小さくすることができる。
【００４０】
なお、本実施形態において、光束径最小位置Ｐ３が第４群レンズ５４の近傍にあり、第３群レンズ５３と第４群レンズ５４との間に、フィルタユニット５６を配置しているが、第４群レンズ５４の光軸Ｌ方向への移動に支障のない位置であれば、第４群レンズ５４よりも後方に配置しても良い。
【００４１】
次に、レンズユニット１０の電気的構成について説明する。図１０に示すように、レンズユニット１０には、ユニット内の各部を制御するユニット制御部９０が設けられている。ユニット制御部９０は、各部を制御する制御プログラムが記憶されたＲＯＭと、作業用データを一時的に記憶するＲＡＭとを備えている。ユニット制御部９０は、この制御プログラムに基づいて各部を制御する。
【００４２】
ユニット制御部９０には、ＡＦセンサ２１、モータドライバ９１、及びポジションセンサ９２，９３が接続されている。ＡＦセンサ２１は被写体距離を検出し、ユニット制御部９０に出力する。モータドライバ９１は、フォーカスモータ６１に接続されており、ユニット制御部９０は、ＡＦセンサ２１によって検出された被写体距離に基づいて、モータドライバ９１を制御してフォーカスモータ６１を駆動する。このフォーカスモータ６１によって、第４群レンズ５４が光軸Ｌ１に沿って進退移動され、焦点調節が行われる。
【００４３】
また、ポジションセンサ９２は、フォーカスリング２３の回転位置を検出し、ポジションセンサ９３は、絞りリング２５の回転位置を検出する。ユニット制御部９０は、フォーカスリング２３が回転操作された時に、この回転位置に基づいて第４群レンズ５４を移動させて焦点調整を行う。また、ユニット制御部９０は、絞りリング２５が回転操作された時に、この回転位置に基づいて、シャッタユニット５５、及びフィルタユニット５６を制御し、ＣＣＤ５１に入射する光量を調節する。
【００４４】
また、ユニット制御部９０には、ＣＣＤドライバ９５を介してＣＣＤ５１が接続されている。ユニット制御部９０は、ＣＣＤドライバ９５を制御してＣＣＤ５１を駆動する。ＣＣＤ５１は、光電変換により被写体像を電気信号に変換して、アナログ信号である画像データを取得する。
【００４５】
さらに、このＣＣＤ５１は、アナログ信号処理部９６と接続されており、画像データをアナログ信号処理部９６に出力する。このアナログ信号処理部９６は、データバス９７を介してユニット制御部９０に接続されており、ユニット制御部９０によって制御される。アナログ信号処理部９６は、画像データに対してノイズの除去や増幅処理を施して、Ａ／Ｄ変換器９８に出力する。Ａ／Ｄ変換器９８は、画像データをアナログ信号からデジタル信号に変換する。
【００４６】
Ａ／Ｄ変換器９８には、ＡＥ／ＡＦ検出部９９が接続されており、デジタル信号に変換された画像データを出力する。ＡＥ／ＡＦ検出部９９は、ユニット制御部９０によって制御され、画像データの高周波成分の振幅値が最大となる合焦位置を検出してＡＦ検出値を出力する。さらに、ＡＥ／ＡＦ検出部９９は、露出が最適となるＡＥ検出値を検出してＡＥ検出値を出力する。
【００４７】
ユニット制御部９０は、ＡＦセンサ２１によって検出された被写体距離に基づいて第４群レンズ５４の位置調整を行った後、ＡＥ／ＡＦ検出部９９から取得したＡＦ検出値に基づいて、第４群レンズ５４の位置を微調整する。さらに、ユニット制御部９０は、ＡＥ検出値に基づいて、シャッタユニット５５及びフィルタユニット５６を制御し、ＣＣＤ５１に入射する光量を調節する。
【００４８】
また、ユニット制御部９０には、データバス９７を介して、シリアルドライバ１００及び電源制御部１０１が接続されている。ユニット制御部９０は、シリアルドライバ１００を制御し、マウント部２２の背面に設けられたマウント接点１０２、及びカメラ本体１１のマウント部３０に設けられたマウント接点８３を介して、カメラ本体１１との間で各種操作信号や画像データの送受信を行う。
【００４９】
つまり、ユニット制御部９０は、シリアルドライバ１００を制御して、Ａ／Ｄ変換器９８によってデジタル信号化された画像データをシリアル信号に変換して、カメラ本体１１に出力する。
【００５０】
電源制御部１０１は、マウント接点１０２に接続されている。電源制御部１０１は、マウント接点１０２，８３を介して、カメラ本体１１から給電される。ユニット制御部９０は、電源制御部１０１を制御してレンズユニット１０内の各部に給電させる。また、ユニット制御部９０は、マウント接点１０２，８３を介して、カメラ本体１１内の制御部９０から制御信号を取得し、この制御信号に基づいてユニット内の各部を制御する。
【００５１】
次に、カメラ本体１１の電気的構成について説明する。カメラ本体１１には、本体内の各部を制御する制御部１１０が設けられている。制御部１１０は、各部を制御する制御プログラムが記憶されたＲＯＭと、作業用データを一時的に記憶するＲＡＭとを備えている。制御部９０は、この制御プログラムに基づいて各部を制御する。
【００５２】
デジタル信号処理部１１１は、データバス１１２を介してメモリ１１３が接続されている。このデジタル信号処理部１１１は、画像データをレンズユニット１０から取得して、画像データをメモリ１１３に記憶させる。デジタル信号処理部１１１は、画像データがメモリ１１３に記憶されている時に、画像データに対して階調変換、ホワイトバランス補正、γ補正等の各種画像処理、ＹＣ変換処理等を施す。
【００５３】
撮影モードにおいて、デジタル信号処理部１１１は、撮影処理が実行される前に、画像データに対して簡易な画像処理と簡易なＹＣ処理とを施して、ＬＣＤドライバ１１５に出力する。制御部１１０は、ＬＣＤドライバ１１５を制御して画像データをＬＣＤ１１６にスルー画として表示させる。
【００５４】
また、撮影処理が実行された時に、デジタル信号処理部１１１は、画像データに対して画像処理、ＹＣ変換処理、及び圧縮処理等を施す。制御部１１０には、メディアコントローラ１１７に接続されており、メディアコントローラ１１７を制御して、圧縮処理された画像データを記録メディア１１８に記録させる。
【００５５】
また、再生モードでは、制御部１１０が、メディアコントローラ１１７を制御して、記録メディア１１８から画像データを読み出させ、デジタル信号処理部１１１によって伸張処理が施された後、画像データを再生画像としてＬＣＤ１１６に表示させる。
【００５６】
また、制御部１１０には、操作部３６、及びストロボ制御部１１９が接続されている。制御部１１０は、操作部３６から各種操作信号を取得して、各操作信号に対応する処理を実行する。ストロボ制御部１１９には、ストロボ発光部３２が接続されている。制御部１１０は、ストロボ制御部１１９を制御して、ストロボ発光部３２を発光させる。
【００５７】
また、制御部１１０には、データバス１１２を介して、シリアルドライバ１２０及び電源制御部１２１が接続されている。制御部１１０は、シリアルドライバ１２０を制御し、マウント接点１０２，１０３を介して、レンズユニット１０との間で各種操作信号や画像データの送受信を行う。
【００５８】
電源制御部１２１は、バッテリ１２２に接続されている。この電源制御部１２１は、制御部１１０によって制御され、バッテリ１２２の出力電圧を所定電圧に変圧し、カメラ本体１１内の各部に給電を行う。また、電源制御部１２１は、マウント接点１０３と接続されており、マウント接点１０２，１０３を介してレンズユニット１０に対して給電を行う。
【００５９】
なお、上記実施形態において、撮像素子としてＣＣＤを用いる場合を例に説明したが、これに限るものではなく、例えば、ＣＭＯＳイメージセンサを用いても良い。
【００６０】
さらに、上記実施形態において、レンズ鏡筒内に撮像素子を備えたレンズユニットを例に説明したが、撮像素子を備えていない通常のレンズ鏡筒にも本発明を適用できる。また、カメラ本体に着脱自在のレンズ鏡筒ではなく、カメラ本体に一体に設けられたレンズ鏡筒に本発明を適用しても良い。
【００６１】
さらに、上記実施形態において、本発明をデジタルカメラに適用した場合を例に説明したが、これに限るものではなく、デジタルビデオカメラや銀塩カメラ等に本発明を適用しても良い。
【図面の簡単な説明】
【００６２】
【図１】レンズユニット及びカメラ本体の構成を示す斜視図である。
【図２】レンズユニットの構成を示す断面図であり、短縮状態を示している。
【図３】レンズユニットの構成を示す断面図であり、第２群レンズがワイド端にある状態を示している。
【図４】レンズユニットの構成を示す断面図であり、第２群レンズがテレ端にある状態を示している。
【図５】シャッタユニットの構成を示す斜視図である。
【図６】シャッタユニットの構成を示す正面図である。
【図７】フィルタユニットの構成を示す斜視図である。
【図８】ＮＤフィルタの移動を示す説明図である。
【図９】フィルタユニットの配置位置を示す説明図である。
【図１０】レンズユニット及びカメラ本体の電気的構成を示すブロック図である。
【符号の説明】
【００６３】
１０  レンズユニット
１１  カメラ本体
５１  ＣＣＤ
５５  シャッタユニット
５６  フィルタユニット
７１  開口
７７  ＮＤフィルタ
Ｐ１  結像位置
Ｐ２  絞り位置
Ｐ３  光束径最小位置
Ｄ１  開放絞り径
Ｄ２  最大結像径
Ｄ３  光束径
【図１】
2006267863.tif 000003
【図２】
2006267863.tif 000004
【図３】
2006267863.tif 000005
【図４】
2006267863.tif 000006
【図５】
2006267863.tif 000007
【図６】
2006267863.tif 000008
【図７】
2006267863.tif 000009
【図８】
2006267863.tif 000010
【図９】
2006267863.tif 000011
【図１０】
2006267863.tif 000012